(57)【特許請求の範囲】
【請求項１】
バンドと、
前記バンドに取り付けられるイヤカップと、
操作部と、を備え、
前記イヤカップは、スピーカユニットと、該スピーカユニットの音響放射側に配置される対象物を検知可能な静電容量型の近接センサと、を有し、
前記操作部が操作されるとともに前記近接センサが前記対象物を検知した際、前記スピーカユニットは音波を放射可能であることを特徴とするヘッドホン。
【請求項２】
前記イヤカップは、前記バンドに回動可能に取り付けられていることを特徴とする請求項１に記載のヘッドホン。
【請求項３】
前記近接センサが前記対象物を検知しなくなった際、前記スピーカユニットによる音波の放射を停止させることを特徴とする請求項１又は２に記載のヘッドホン。
【請求項４】
前記操作部は、前記イヤカップにおける前記音響放射側の反対側に設けられたタッチパネルであることを特徴とする請求項１〜３のいずれか１項に記載のヘッドホン。
【請求項５】
外部に設けられた電子機器と無線で通信可能な通信部と、
前記スピーカユニットを制御可能な制御部と、を備えることを特徴とする請求項１〜４のいずれか１項に記載のヘッドホン。
【請求項６】
前記制御部は、前記操作部が操作されるとともに前記近接センサが前記対象物を検知した際、前記通信部から前記電子機器へ信号を送信し、該電子機器から該通信部に音声信号を送信させることを特徴とする請求項５に記載のヘッドホン。
【請求項７】
前記制御部は、前記近接センサが前記対象物を検知しなくなった際、前記通信部から前記電子機器へ信号を送信し、該電子機器による該通信部への音声信号の送信を停止させることを特徴とする請求項６に記載のヘッドホン。
【発明の詳細な説明】
【技術分野】
【０００１】
本発明は、ヘッドホンに関する。
【背景技術】
【０００２】
従来、静電容量を測定する検出素子を備えたヘッドセット（ヘッドホン）が提案されている（例えば、特許文献１参照）。特許文献１に記載された従来のヘッドセットでは、検出素子が測定した静電容量に基づいて、装着者に装着されているか否かを判断するとともに音声増幅器を制御することで、非装着時の消費電力を低減するように構成されている。
【先行技術文献】
【特許文献】
【０００３】
【特許文献１】特開２００７−１０４６７０号公報
【発明の概要】
【発明が解決しようとする課題】
【０００４】
しかしながら、特許文献１に記載のヘッドホンでは、装着者が装着せず例えばバンドを首にかけた際に、検出素子が装着者の胸等に接近して静電容量の変化を検出してしまい、検出素子が装着を誤検知し、ヘッドホンが誤作動してしまう可能性があった。
【０００５】
したがって、本発明の課題は、誤作動を抑制することができるヘッドホンを提供することが一例として挙げられる。
【課題を解決するための手段】
【０００６】
前述した課題を解決し目的を達成するために、請求項１に記載の本発明のヘッドホンは、バンドと、前記バンドに取り付けられるイヤカップと、操作部と、を備え、前記イヤカップは、スピーカユニットと、該スピーカユニットの音響放射側に配置される対象物を検知可能な静電容量型の近接センサと、を有し、前記操作部が操作されるとともに前記近接センサが前記対象物を検知した際、前記スピーカユニットは音波を放射可能であることを特徴としている。
【図面の簡単な説明】
【０００７】
【図１】本発明の実施例に係るヘッドホン全体を示す斜視図である。
【図２】前記ヘッドホンのイヤカップを示す断面図である。
【図３】前記イヤカップの動作を示す上面図である。
【図４】前記ヘッドホンのヘッドバンドを装着者の首に掛けた様子を示す側面図である。
【図５】前記ヘッドホンにおいて送受信される信号を示すブロック図である。
【図６】前記ヘッドホンの回路基板が実行する処理の一例を示すフローチャートである。
【発明を実施するための形態】
【０００８】
以下、本発明の実施形態を説明する。本発明の実施形態に係るヘッドホンは、バンドと、バンドに取り付けられるイヤカップと、操作部と、を備え、イヤカップは、スピーカユニットと、スピーカユニットの音響放射側に配置される対象物を検知可能な静電容量型の近接センサと、を有し、操作部が操作されるとともに近接センサが対象物を検知した際、スピーカユニットは音波を放射可能である。
【０００９】
近接センサが対象物を検知するだけでなくさらに操作部が操作された際に、スピーカユニットが音波を放射可能となっており、後述する駆動信号が入力されていないスピーカユニットは音波を発生せず、スピーカユニットへ後述する駆動信号が入力されたときにスピーカユニットは音波を放射する。これにより、例えば装着者の耳や側頭部を対象物とする近接センサが、他の部位を対象物として誤検知してしまっても、装着者が操作部を操作しなければ、後述する駆動信号が入力されたスピーカユニットから音波は放射されない。一方、近接センサを設けずに操作部のみを設ける構成とした場合、外部からの衝撃等によって操作部が誤って操作されてしまうと、ヘッドホンを装着していなくても音波を放射してしまう可能性がある。従って、ヘッドホンが近接センサと操作部との両方を備えることにより、いずれか一方を備える構成と比較して、誤作動を抑制することができる。
【００１０】
イヤカップは、バンドに回動可能に取り付けられていることが好ましい。それにより、イヤカップの装着者に対する密着性や使用感を向上させることができる。また、スピーカユニットの音響放射側を装着者に向けることができるようにイヤカップを回動可能に構成すると、バンドを首にかけた際に近接センサが装着者の胸を対象物として誤検知してしまいやすくなるものの、前述のように操作部が操作されないと音波は放射されず、誤作動を抑制することができる。
【００１１】
近接センサが対象物を検知しなくなった際、スピーカユニットによる音波の放射を停止させることが好ましい。それにより、装着者がヘッドホンを装着しなくなった際にスピーカユニットによる音波の放射を停止させ、消費電力を低減することができる。
【００１２】
操作部は、イヤカップにおける音響放射側の反対側に設けられたタッチパネルであることが好ましい。それにより、装着者は、ヘッドホンを装着してタッチパネルが見えない状態であっても、タッチパネルを直感的に操作することができる。また、タッチパネルが導電部材を備え、この導電部材が音響放射側の反対側から見て近接センサ全体を隠したり覆ったりするように設けられていれば、近接センサが音響放射側の反対側において検出する静電容量の変化を遮蔽し、誤検知を抑制することができる。
【００１３】
外部に設けられた電子機器と無線で通信可能な通信部と、スピーカユニットを制御可能な制御部と、を備えることが好ましい。それにより、電子機器と離れた位置でヘッドホンを使用する際に、電子機器を操作しなくても、ヘッドホンを装着して操作部を操作することによって、スピーカユニットに音波を放射させることができる。
【００１４】
制御部は、操作部が操作されるとともに近接センサが対象物を検知した際、通信部から電子機器へ信号を送信し、電子機器から通信部に音声信号を送信させることが好ましい。それにより、ヘッドホンの装着前において、電子機器からヘッドホンに対して音声信号を送信する必要がなく、待機電力を低減することができる。
【００１５】
制御部は、近接センサが対象物を検知しなくなった際、通信部から電子機器へ信号を送信し、電子機器による該通信部への音声信号の送信を停止させることが好ましい。それにより、装着者がヘッドホンを装着しなくなった際に、電子機器からヘッドホンへの音声信号の送信を停止させることができ、消費電力を低減することができる。
【実施例】
【００１６】
以下、本発明の実施例について具体的に説明する。図１は、本発明の実施例に係るヘッドホン１全体を示す斜視図であり、図２は、ヘッドホン１のイヤカップ２Ａを示す断面図であり、図３は、イヤカップ２Ａの動作を示す上面図であり、図４は、ヘッドホン１のヘッドバンド３を装着者の首Ｎに掛けた様子を示す側面図であり、図５は、ヘッドホン１において送受信される信号を示すブロック図であり、図６は、ヘッドホン１の回路基板が実行する処理の一例を示すフローチャートである。本実施例において、ヘッドホン１は、紙面奥側を前方側とするとともに手前側を後方側として装着者に装着され、イヤカップ２の装着者側を音響放射側とし、その反対側を外側と呼ぶ。また、上下方向は図１に示す通りとする。
【００１７】
ヘッドホン１は、左右一対のイヤカップ２Ａ、２Ｂと、一対のイヤカップ２Ａ、２Ｂを連結するバンドとしてのヘッドバンド３と、を備えたコードレス型のヘッドホンであって、音声再生機器（電子機器）１００から無線で送信された音声信号ＳＧ６を受信し、その信号に応じた音波を放射する（音声を再生する）ように構成されている。
【００１８】
右耳用のイヤカップ２Ａは、図１、２に示すように、クッション２１と、スピーカユニット４と、例えばアンテナを有することで音声再生機器１００と無線で通信可能な通信部５と、スピーカユニット４を制御するための制御部としての回路基板６と、ヘッドホン１全体の主電源スイッチ７と、スピーカユニット４、通信部５、及び、回路基板６を収容するハウジング２２と、備える。さらに、本実施例では、右耳用のイヤカップ２Ａに近接センサ２３が設けられる。尚、左耳用のイヤカップ２Ｂは、右耳用のイヤカップ２Ａと同様の構成を有していてもよいし、通信部５、回路基板６、主電源スイッチ７、及び、近接センサ２３が省略され、右耳用のイヤカップ２Ａの回路基板６が左耳用のイヤカップ２Ｂのスピーカユニット４を制御してもよい。尚、図１では、説明の都合上、右耳用のイヤカップ２Ａにおいてクッション２１が省略されている。
【００１９】
イヤカップ２Ａ、２Ｂは、図３に示すように、ヘッドバンド３に対して回動可能に取り付けられている。即ち、イヤカップ２Ａ、２Ｂは、上下方向に沿って延びる回動軸Ｏ１を有するとともに、クッション２１の音響放射側の面（当接面２１１）を、図３（Ｂ）に示すように内側（装着者側）に向けた状態から、図３（Ａ）、（Ｃ）に示すようにやや前方側又は後方側に向けるように回動可能に構成されている。従って、装着者が首Ｎにヘッドバンド３をかけると、図４に示すように、クッション２１の音響放射側の面が装着者側に向くことがあり、このとき、後述する近接センサ２３が装着者の胸Ｃを対象物として誤検知してしまう可能性がある。
【００２０】
クッション２１は、スポンジ等のクッション部材が合成皮革等の被覆部材で覆われて円環状に形成され、図２に示すように、ハウジング２２の装着者側（音響放射側）に取り付けられる。クッション２１は、音響放射側の面を当接面２１１として図４に示す装着者の側頭部Ｈに当接可能に形成されている。スピーカユニット４から放射された音波は、クッション２１の中央の孔を通過して装着者の耳に到達するようになっている。
【００２１】
ハウジング２２は、例えば樹脂によって形成されたハウジング本体２２１と、ハウジング本体２２１の外側の面２２１Ａに設けられるタッチパネル２２２と、を有する。
【００２２】
タッチパネル２２２は、例えば、感圧式や静電容量型のタッチパネルであって、指によって操作可能に構成され、後述するようにスピーカユニット４に音波を放射させるために操作される。タッチパネル２２２はその他の機能を有していてもよく、例えばスピーカユニット４の音量を調節したり、再生する音声や楽曲を選択したりする機能を有していてもよく、ヘッドホン１の機能の調節や、音声再生機器１００の遠隔操作が可能に構成されていてもよい。本実施例のタッチパネル２２２は静電容量型であって、少なくとも１枚のガラス基板２２２Ａと、１枚のガラス基板２２２Ａの面に設けられるとともに導電部材によって形成された電極部２２２Ｂと、を有している。この電極部２２２Ｂは、タッチパネル２２２全体に設けられ、外側から見て近接センサ２３が隠れるような寸法および配置を有し、近接センサ２３を外側から覆っている。
【００２３】
スピーカユニット４は、磁気回路４１と、振動板４２と、エッジ４３と、を備え、音響放射側を前面側として音波を放射するようにハウジング本体２２１内に収容されている。
【００２４】
主電源スイッチ７は、例えばプッシュ式のスイッチであって、操作されることによって、ヘッドホン１全体を動作可能な状態にしたり（主電源を入れる）、停止させたりする（主電源を切る）。尚、ヘッドホン１は、動作可能な状態において、少なくとも回路基板６が起動していればよく、停止した状態において、少なくとも回路基板６が停止していればよく、近接センサ２３が常に動作していてもよい。
【００２５】
近接センサ２３は、ハウジング本体２２１内におけるクッション２１側（音響放射側）に収容されるとともに、下方側に配置される。即ち、図１に二点鎖線で示すようにハウジング２２を、上方側の第１領域Ａ１と、下方側の第２領域Ａ２と、に仮想的に区画した際に、近接センサ２３は第２領域Ａ２に配置される。この近接センサ２３は、クッション２１よりも音響放射側にある対象物を検知する位置、且つ、スピーカユニット４から放射された音波の進行を妨げないような位置に配置されている。近接センサ２３は、静電容量型のセンサであって、検知可能距離の範囲内における静電容量を測定するように構成されている。この検知可能距離の範囲内に対象物が存在すると、その静電容量によって対象物を検知する。より具体的には、測定する静電容量に所定の閾値を設定し、測定した静電容量がこの閾値以上となった場合には、ヘッドホン１が装着者に装着されたと判定する。一方、測定した静電容量がこの閾値を下回った場合には、ヘッドホン１が装着者に装着されていないと判定する。この検知可能距離は、必要に応じて適宜に変更することができる。本実施例では、近接センサ２３とクッション２１の当接面２１１との間の距離よりも若干大きい距離を検知可能距離として設定するとともに、対象物を装着者の耳Ｅ又は側頭部Ｈとしている。また、近接センサ２３は、周期Ｔ１（例えば５秒）毎に静電容量を測定し、対象物を検知するように構成されている。
【００２６】
ヘッドバンド３は、例えば樹脂によって形成されるとともに、前方又は後方から見て円弧状に形成され、装着者の頭部の大きさに合わせて撓み変形可能に構成されている。また、ヘッドバンド３は、装着者の頭頂部近傍に載置されるように構成されている。
【００２７】
ここで、近接センサ２３、タッチパネル２２２、回路基板６、スピーカユニット４、及び、音声再生機器１００のそれぞれの間で送受信される信号について、図５に基づいて説明する。尚、回路基板６と音声再生機器１００との間では、通信部５を介して信号が送受信される。
【００２８】
近接センサ２３は、対象物を検知した際、近接検知信号ＳＧ１を回路基板６に送信するように構成されている。タッチパネル２２２は、予め定められた操作（例えば長押しや連続押し等）が行われた際、操作検知信号ＳＧ２を回路基板６に送信するように構成されている。回路基板６は、音声信号ＳＧ６の送信を開始させるための開始信号ＳＧ３、及び、音声信号ＳＧ６の送信を停止させるための停止信号ＳＧ４を音声再生機器１００に送信可能に構成されるとともに、受信した音声信号ＳＧ６に応じた駆動信号ＳＧ５をスピーカユニット４に送信するように構成されている。音声再生機器１００は、開始信号ＳＧ３を受信した際に音声信号ＳＧ６を回路基板６に送信し、停止信号ＳＧ４を受信した際に音声信号ＳＧ６の送信を停止するように構成されている。尚、回路基板６が開始信号ＳＧ３を連続的に送信し、音声再生機器１００は開始信号ＳＧ３を受信しなくなったら音声信号ＳＧ６の送信を停止してもよく、停止信号ＳＧ４が送信されない構成であってもよい。
【００２９】
次に、制御部としての回路基板６が実行する検知処理の一例について、図６のフローチャートを参照して説明する。
【００３０】
主電源スイッチ７が操作されると、近接センサ２３、タッチパネル２２２、及び、回路基板６が起動し、回路基板６が検知処理を実行する。
【００３１】
検知処理において、回路基板６は、近接センサ２３から近接検知信号ＳＧ１を受信したか否かを判定する（Ｓ１１０）。近接検知信号Ｇ１を受信しない場合（Ｓ１１０でＮ）、回路基板６は、音声信号ＳＧ６を受信していない期間がＴ２（例えば１０分）以上であるか否かを判定する（Ｓ１２０）。音声信号ＳＧ６を受信していない期間がＴ２未満の場合（Ｓ１２０でＮ）、再びＳ１１０に戻る。一方、音声信号ＳＧ６を受信していない期間がＴ２以上の場合（Ｓ１２０でＹ）、回路基板６は、ヘッドホン１全体の主電源をオフにし（Ｓ１３０）、検知処理を終了する。尚、Ｓ１２０における判定の前に、待機時間（例えば近接センサ２３による測定の周期Ｔ１）を設定してもよい。
【００３２】
近接検知信号Ｇ１を受信した場合（Ｓ１１０でＹ）、回路基板６は、タッチパネル２２２から操作検知信号ＳＧ２を受信したか否かを判定する（Ｓ１４０）。操作検知信号ＳＧ２を受信しない場合（Ｓ１４０でＮ）、回路基板６は、近接検知信号ＳＧ１の受信を開始してから時間Ｔ３（例えば５秒）が経過したか否かを判定する（Ｓ１５０）。近接検知信号ＳＧ１の受信を開始してから時間Ｔ３した場合（Ｓ１５０でＹ）、再びＳ１１０に戻る。また、近接検知信号ＳＧ１の受信を開始してから時間Ｔ３していない（Ｓ１５０でＮ）、再びＳ１４０に戻る。
【００３３】
操作検知信号ＳＧ２を受信した場合（Ｓ１４０でＹ）、回路基板６は、音声再生機器１００に開始信号ＳＧ３を送信する（Ｓ１６０）。開始信号ＳＧ３を受信した音声再生機器１００が音声信号ＳＧ６を送信することから、回路基板６は、音声信号ＳＧ６を受信したか否かを繰り返し判定する（Ｓ１７０）。音声信号ＳＧ６を受信した場合（Ｓ１７０でＹ）、回路基板６は、音声信号ＳＧ６に応じた駆動信号ＳＧ５をスピーカユニット４に送信する（Ｓ１８０）。
【００３４】
回路基板６は、駆動信号ＳＧ５の送信を継続しつつ、近接検知信号ＳＧ１を受信する間隔が時間Ｔ４より長いか否かを判定する（Ｓ１９０）。尚、時間Ｔ４は、近接センサ２３の測定の周期Ｔ１以上であればよく、例えば整数倍に設定されていればよい。近接検知信号ＳＧ１の受信間隔がＴ４以下の場合（Ｓ１９０でＮ）、回路基板６は、駆動信号ＳＧ５の送信を継続しつつ、再びＳ１９０に戻る。近接検知信号ＳＧ１の受信間隔がＴ４より長い場合（Ｓ１９０でＹ）、回路基板６は、音声再生機器１００に停止信号ＳＧ４を送信し（Ｓ２００）、スピーカユニット４への駆動信号ＳＧ５の送信を停止し（Ｓ２１０）、再びＳ１１０に戻る。
【００３５】
次に、ヘッドホン１のより具体的な使用例及びそのときのヘッドホン１の動作について説明する。
【００３６】
通常の使用時において、装着者は、まず、音声再生機器１００の電源を入れて待機状態とするとともに、ヘッドホン１の主電源スイッチ７を操作してヘッドホン１の主電源を入れる。次に、装着者がヘッドホン１を装着し、タッチパネル２２２を操作すると、スピーカユニット４によって音波が放射され、音声が再生される（Ｓ１１０、Ｓ１４０、Ｓ１６０〜Ｓ１８０）。音声再生中に装着者がヘッドホン１の装着をやめると、スピーカユニット４が音波の放射を停止する（Ｓ１９０〜Ｓ２１０）。その後、装着者がヘッドホン１を装着しなければ（時間Ｔ２経過すれば）、ヘッドホン１の主電源は自動的に切られる（Ｓ１２０、Ｓ１３０）。一方、装着者がヘッドホン１を再び装着し、タッチパネル２２２を操作すると、スピーカユニット４による音波の放射が再開される。
【００３７】
また、装着者がヘッドホン１の主電源を入れた後、ヘッドホン１を装着した状態で待機し（但し、待機時間はＴ２未満）、任意のタイミングでタッチパネル２２２を操作した場合であっても、スピーカユニット４によって音波が放射される。
【００３８】
ここで、装着者がヘッドホン１の主電源を入れた後、ヘッドホン１を装着しなかった場合について説明する。このとき、近接センサ２３が対象物を検知しなければ、ヘッドホン１の主電源は自動的に切られる（Ｓ１２０、Ｓ１３０）。一方、近接センサ２３が装着者の胸Ｃ等を対象物として誤検知してしまった場合、近接検知信号ＳＧ１が回路基板６に送信され、回路基板６による処理がＳ１４０に進んでしまう。しかしながら、装着者がタッチパネル２２２を操作しなければ次のステップには進まず、時間Ｔ３が経過すれば回路基板６による処理が再びＳ１１０に戻る。従って、近接センサ２３が誤検知しなくなれば、ヘッドホン１の主電源は自動的に切られる。
【００３９】
以上のように、ヘッドホン１は、装着され且つタッチパネル２２２が操作された際に音波を放射するように構成され、即ち、装着及びタッチパネル２２２の操作のうちいずれか一方だけでは音波を放射しないように構成されている。
【００４０】
上記の構成により、近接センサ２３が対象物を検知するだけでなくさらにタッチパネル２２２が操作された際にスピーカユニット４は音波を放射可能であることにより、近接センサ２３が装着者の耳Ｅや側頭部Ｈ以外の部位を対象物として誤検知してしまっても、装着者がタッチパネル２２２を操作しなければ駆動信号ＳＧ５が入力されたスピーカユニット４から音波は放射されず、ヘッドホン１の誤作動を抑制することができる。また、外部からの衝撃等によってタッチパネル２２２が誤って操作されてしまっても、近接センサ２３が対象物を検知しなければ音波は放射されず、誤作動を抑制することができる。
【００４１】
また、イヤカップ２Ａ、２Ｂがヘッドバンド３に対して回動可能に取り付けられていることで、イヤカップ２Ａ、２Ｂのクッション２１における装着者に対する密着性や使用感を向上させることができる。また、上記のようにイヤカップ２Ａ、２Ｂが回動して近接センサ２３が装着者の胸Ｃを誤検知してしまっても、タッチパネル２２２が操作されなければ音波は放射されず、誤作動を抑制することができる。
【００４２】
また、ヘッドホン１が音声再生機器１００と通信可能な通信部５を備えたコードレス型のヘッドホンであることで、音声再生機器１００と離れた位置でヘッドホン１を使用する際に、音声再生機器１００を操作しなくても、ヘッドホン１を装着してタッチパネル２２２を操作することによって、駆動信号ＳＧ５が入力されたスピーカユニット４は音波を放射する。
【００４３】
また、近接センサ２３が対象物を検知しなくなった際に回路基板６が、駆動信号ＳＧ５が入力されたスピーカユニット４による音波の放射を停止させることで、装着者がヘッドホン１を装着しなくなった際にスピーカユニット４による音波の放射を停止させ、消費電力を低減することができる。
【００４４】
また、回路基板６が開始信号ＳＧ３及び停止信号ＳＧ４を送信して音声再生機器１００に音声信号ＳＧ６を送信させたり停止させたりすることで、音声再生機器１００に常に音声信号ＳＧ６を送信させつつスピーカユニット４を動作させたり停止させたりする構成と比較して、音声信号ＳＧ６を送信するための電力を削減することができ、消費電力を抑制することができる。
【００４５】
なお、本発明は、前記実施例に限定されるものではなく、本発明の目的が達成できる他の構成等を含み、以下に示すような変形等も本発明に含まれる。
【００４６】
例えば、前記実施例では、回路基板６が図６のフローチャートに示すような検知処理を実行するものとしたが、回路基板６は、近接検知信号ＳＧ１及び操作検知信号ＳＧ２を受信した際に駆動信号ＳＧ５が入力されたスピーカユニット４に音波を放射させるような処理を実行すればよく、前記実施例の検知処理に限定されない。例えば、近接検知信号ＳＧ１と操作検知信号ＳＧ２との受信の順番は限定されず、タッチパネル２２２を操作した後に所定時間内にヘッドホン１を装着することで駆動信号ＳＧ５が入力されたスピーカユニット４が音波の放射を開始するような処理であってもよい。
【００４７】
また、ヘッドホン１が装着されなくなった際にスピーカユニット４による音波の放射を停止しなくてもよく、例えば主電源スイッチ７が操作されることで音波の放射が停止されてもよい。
【００４８】
また、前記実施例では、回路基板６が音声再生機器１００に開始信号ＳＧ３及び停止信号ＳＧ４を送信し、音声再生機器１００が音声信号ＳＧ６を送信したり停止したりする構成としたが、回路基板６が開始信号ＳＧ３及び停止信号ＳＧ４を送信せず、音声再生機器１００が音声信号ＳＧ６の送信を継続する構成としてもよい。即ち、回路基板６が音声信号ＳＧ６を受信しつつ、スピーカユニット４への駆動信号ＳＧ５を停止したり、スピーカユニット４への電力供給を停止したりすることによって、スピーカユニット４による音波の放射を停止させてもよい。
【００４９】
また、前記実施例では、主電源スイッチ７を操作することによって回路基板６が起動するものとしたが、近接センサ２３が常に起動するとともに、近接検知信号ＳＧ１が送信されることによって回路基板６が起動するようにしてもよい。このとき、主電源スイッチ７は省略されていてもよい。
【００５０】
また、前記実施例では、音声再生機器１００と無線で通信可能なコードレス型のヘッドホン１を例示したが、音声再生機器１００と有線接続されるヘッドホンであってもよい。このとき、ヘッドホンは、少なくとも近接センサと操作部としてのタッチパネルとを備えていればよく、通信部が省略されるとともに制御部としての回路基板が音声再生機器１００に設けられていてもよい。
【００５１】
また、前記実施例では、操作部としてタッチパネルを例示したが、操作部は、操作されることによって操作検知信号ＳＧ２を回路基板６に送信するものであればよく、例えば、プッシュスイッチやシーソースイッチ等であってもよい。
【００５２】
また、前記実施例では、イヤカップ２Ａ、２Ｂが上下方向に沿って延びる回動軸Ｏ１を有して回動可能にヘッドバンド３に取り付けられるものとしたが、この回動軸は適宜な方向に延びていればよく、例えば前後方向に沿って延びる回動軸であってもよい。また、イヤカップは、ヘッドバンドに対して回動不能に取り付けられていてもよい。
【００５３】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５４】
１          ヘッドホン
２Ａ、２Ｂ  イヤカップ
３          ヘッドバンド（バンド）
４          スピーカユニット
５          通信部
６          回路基板（制御部）
２３        近接センサ
２２２      タッチパネル（操作部）
１００      音声再生機器（電子機器）
【図１】
0006424631.tif 000002
【図２】
0006424631.tif 000003
【図３】
0006424631.tif 000004
【図４】
0006424631.tif 000005
【図５】
0006424631.tif 000006
【図６】
0006424631.tif 000007